(57)【要約】【課題】配線の保護とともに美観性が向上する保護ダクトとボックスとの接続部材を提供する。【解決手段】ボックス接続部材２８の一端部２８ａは保護ダクト７と接続され、他端部２８ｂは電力計ボックス６の上周壁６ａに当接されて、保護ダクト７から引き出されて電力計ボックス６の上周壁６ａに引き込まれる配線４を覆うとともに、ボックス接続部材２８の分割線Ｌ２，Ｌ３の内、少なくとも電力計ボックス６の近傍の分割線Ｌ３は、電力計ボックス６の分割線Ｌ１よりも壁面５側に位置するように形成されている。【選択図】  図７
2004343944.tif 000002
【特許請求の範囲】
【請求項１】
壁面に取付けられる接続ベースと、この接続ベースに着脱可能に取付けられる接続カバーとからなるボックス接続部材が設けられ、このボックス接続部材の一端部は、上記壁面に沿って配置されて配線等の長尺物を収容・保護する保護ダクトと接続され、他端部は、上記壁面に取付けられた電力計等の被収容物を収容するボックスの周壁に当接されて、上記保護ダクトから引き出されてボックスの周壁の引き込み穴に引き込まれる長尺物を覆うとともに、上記ボックスは、ベースと、このベースに着脱可能に取付けられるカバーとから構成されていて、上記ボックス接続部材の接続ベースと接続カバーとの分割線が、少なくともボックスの近傍においては、ボックスのベースとカバーとの分割線よりも上記壁面側に位置するように形成されていることを特徴とする保護ダクトとボックスとの接続部材。
【請求項２】
上記ボックス接続部材の分割線は、ボックス側の他端部はボックスの分割線よりも上記壁面側に位置し、保護ダクト側の一端部は保護ダクトの分割線と連なるように形成されている請求項１記載の保護ダクトとボックスとの接続部材。
【請求項３】
上記ボックス接続部材は、ボックスの近傍に位置するベースの側壁部に凹部が形成され、ボックスの近傍に位置するカバーの側壁部に凸部が形成されて、ボックス接続部材の分割線は、ボックスの近傍においてはボックスの分割線よりも上記壁面側に位置し、ボックスの近傍以外においては保護ダクトの分割線と略一直線状をなすように形成されている請求項１または２記載の保護ダクトとボックスとの接続部材。
【請求項４】
上記ボックス接続部材の保護ダクト側の一端部は、保護ダクトに対応した形状に設定されるとともに、ボックス側の他端部は、ボックスの周壁に形成された複数の長尺物引き込み穴を全て覆う形状に設定されている請求項１〜３のいずれか１項に記載の保護ダクトとボックスとの接続部材。
【発明の詳細な説明】
【０００１】
【発明の属する技術分野】
本発明は、配線（ケーブル）やエアコンの空調配管に最適な保護ダクトとボックスとの接続部材に関する。
【０００２】
【従来の技術】
従来、屋内の室内機と屋外の室外機とを接続する空調配管が家屋の外壁面に配置されている場合、この空調配管をダクトで覆うものがある（例えば、特許文献１参照）。
【０００３】
【特許文献１】
実公昭５８−４９０１３号公報
【０００４】
【発明が解決しようとする課題】
ところで、家屋の外壁面に配置された電力計ボックスを経由して屋外から屋内に引き込まれる長尺物の配線（電線）は、道路側から比較的見えやすい家屋の外壁面に沿って配置されることから、保護ダクトで覆うことが考えられているが、この保護ダクトと電力計ボックスとの間の配線についても、保護と美観性が要望される。
【０００５】
本発明は、上記要望に応えるためになされたもので、配線の保護とともに美観性が向上する保護ダクトとボックスとの接続部材を提供することを課題とするものである。
【０００６】
【課題を解決するための手段】
上記課題を解決するために、本発明は、壁面に取付けられる接続ベースと、この接続ベースに着脱可能に取付けられる接続カバーとからなるボックス接続部材が設けられ、このボックス接続部材の一端部は、上記壁面に沿って配置されて配線等の長尺物を収容・保護する保護ダクトと接続され、他端部は、上記壁面に取付けられた電力計等の被収容物を収容するボックスの周壁に当接されて、上記保護ダクトから引き出されてボックスの周壁の引き込み穴に引き込まれる長尺物を覆うとともに、上記ボックスは、ベースと、このベースに着脱可能に取付けられるカバーとから構成されていて、上記ボックス接続部材の接続ベースと接続カバーとの分割線が、少なくともボックスの近傍においては、ボックスのベースとカバーとの分割線よりも上記壁面側に位置するように形成されていることを特徴とする保護ダクトとボックスとの接続部材を提供するものである。
【０００７】
請求項２のように、上記ボックス接続部材の分割線は、ボックス側の他端部はボックスの分割線よりも上記壁面側に位置し、保護ダクト側の一端部は保護ダクトの分割線と連なるように形成されている構成とすることが好ましい。
【０００８】
請求項３のように、上記ボックス接続部材は、ボックスの近傍に位置するベースの側壁部に凹部が形成され、ボックスの近傍に位置するカバーの側壁部に凸部が形成されて、ボックス接続部材の分割線は、ボックスの近傍においてはボックスの分割線よりも上記壁面側に位置し、ボックスの近傍以外においては保護ダクトの分割線と略一直線状をなすように形成されている構成とすることが好ましい。
【０００９】
請求項４のように、上記ボックス接続部材の保護ダクト側の一端部は、保護ダクトに対応した形状に設定されるとともに、ボックス側の他端部は、ボックスの周壁に形成された複数の長尺物引き込み穴を全て覆う形状に設定されている構成とすることが好ましい。
【００１０】
【発明の作用および効果】
本発明によれば、壁面に沿って配置されて配線等の長尺物は、保護ダクトで覆われるとともに、保護ダクトから引き出されてボックスの周壁の引き込み穴に引き込まれる配線等の長尺物は、ボックス接続部材で覆われるので、配線等の長尺物が保護されるとともに、美観性が向上する。
【００１１】
また、ボックス接続部材の分割線が、少なくともボックスの近傍においては、ボックスの分割線よりも壁面側に位置するように形成されているから、ボックスのカバーを取外して内部を点検等する時に、ボックス接続部材の接続カバーを取外すだけで、ボックスのカバーを上方にスライドさせて前方に取外せるとともに、前方から被せて下方にスライドさせて取付けることができるので、ボックスのカバーの着脱が容易になる。
【００１２】
請求項２によれば、ボックス接続部材の分割線は、ボックス側の他端部はボックスの分割線よりも壁面側に位置させているが、保護ダクト側の一端部は保護ダクトの分割線と連なるようになるから、美観性が向上する。
【００１３】
請求項３によれば、ボックスの近傍に位置するボックス接続部材のベースの側壁部に凹部を形成し、ボックス接続部材のボックスの近傍に位置するカバーの側壁部に凸部を形成して、ボックス接続部材の分割線が、ボックスの近傍においてはボックスの分割線より壁面側に位置し、ボックスの近傍以外においては保護ダクトの分割線と略一直線状をなすように形成されているから、ボックス接続部材の分割線が保護ダクトの分割線と略一直線状に連なるようになるので、美観性が向上する。
【００１４】
請求項４によれば、ボックス接続部材の保護ダクト側の一端部は、保護ダクトに対応した形状に設定し、ボックス側の他端部は、ボックスの周壁に形成された複数の長尺物引き込み穴を全て覆う形状に設定しているから、ボックスの周壁に複数の引き込み穴が形成されている場合に、配線を無理なく引き込み穴に引き込むことができる。
【００１５】
【発明の実施の形態】
以下、本発明の実施の形態を図面を参照して詳細に説明する。
【００１６】
図１に示すような戸建て住宅のような家屋１の場合には、道路側の電柱３からの配線（電線）４が家屋１の外壁面５に配置された電力計ボックス６を経由して、Ａで示す部分において屋外から屋内に引き込まれるようになっている。なお、電力計ボックス６から屋内に配線４を直接引き込んでも良い。
【００１７】
上記家屋１の外壁面５には、この外壁面５に沿って所定長さで上下方向に延在する中空状の保護ダクト７が取付けられて、この保護ダクト７内に配線４が収容されるようになっている。
【００１８】
図２〜図４に示すように、上記保護ダクト７の上端部は、配線４が引き込まれる引込側端部７ａとなり、下端部は、配線４が電力計ボックス６に向けて引き出される引出側端部７ｂとなっている。
【００１９】
上記保護ダクト７は、上記外壁面５に取付けられるベース９と、このベース９に取付け可能なカバー１０とから構成されている。
【００２０】
上記ベース９は、図４（ｂ）に詳細に示すように、略Ｕ字状の断面形状であって、上記外壁面５に取付けられる底壁部９ａは平板状（フラット）に形成されていて、この底壁部９ａの幅方向の中央部には、上記外壁面５にねじ１１〔図２（ｃ）参照〕で固定するためのねじ用穴９ｂが長さ方向に所定の間隔で形成されるとともに、底壁部９ａの内面の両側部には、長さ方向に延在するサドル１９〔図２（ｃ）参照〕の回り止め凸条部９ｃが一体形成されている。上記ねじ用穴９ｂは、例えば１つ置きに、幅方向と長さ方向に長い楕円状に形成されている。
【００２１】
上記サドル１９は、図４（ａ）に示すように、保護ダクト７内に収容された配線４を結束する結束バンド２０を通して保持するものである。
【００２２】
上記カバー１０は、略逆Ｕ字状の断面形状であって、両側壁部１０ａの下端部には、長さ方向に延在する内向き屈曲部１０ｂがそれぞれ形成されている。
【００２３】
そして、ベース９の両側壁部９ｄを内向きに撓ませながら、若しくはカバー１０の両側壁部１０ａを外向きに撓ませながら、ベース９の外向き凹条部９ｆにカバー１０の内向き屈曲部１０ｂを嵌め込むことにより、ベース９にカバー１０が係止固定されるようになる。
【００２４】
上記保護ダクト７のベース９は、引込側端部７ａ側が家屋１の屋根１ａの庇の下方に位置し、引出側端部７ｂ側が電力計ボックス６の上方に位置するように上下方向に延在させた状態で、底壁部９ａを外壁面５に密着させながら、ねじ用穴９ｂを利用してねじ１１でサドル１２を共締めしながら外壁面５に固定する。なお、外壁面５がコンクリート等であるときは、ねじ止め用のプラグ１２〔図２（ａ）参照〕を利用すれば良い。
【００２５】
上記保護ダクト７の引込側端部７ａが位置する外壁面５には、端末部材２２の端末ベース１３が予めねじ１４で固定されている。
【００２６】
この端末ベース１３は、上記ベース９の外面に嵌まり合う略Ｕ字状の断面形状に形成されて、底壁部１３ａがねじ１４で外壁面５に固定されるとともに、両側壁部１３ｂの上縁部には、雌ねじ用穴１３ｃがそれぞれ形成されている。
【００２７】
上記端末ベース１３は、保護ダクト７の引込側端部７ａが上向き（図１参照）となる場合には、図２（ａ）のように、両側壁部１３ｂが左右位置となるように外壁面５に固定し、保護ダクト７の引込側端部７ａが横向きとなる場合には、図２（ｂ）のように、両側壁部１３ｂが上下位置となるように外壁面５に固定する。
【００２８】
上記ベース９は、引込側端部７ａ側の先端部分を端末ベース１３に差し込んだ状態で外壁面５にねじ１１で固定する。
【００２９】
上記端末ベース１３と対となる端末カバー１５は、上記カバー１０の外面に嵌まり合う略Ｕ字状の断面形状に形成されて、カバー１０の引込側端部７ａ側の先端部分に被せた状態で、上壁部１５ａのねじ用穴１５ｂを利用して、端末ベース１３の雌ねじ用穴１３ｃにねじ１６で固定する。
【００３０】
上記端末ベース１３と端末カバー１５とは端末部材２２を構成し、保護ダクト７の引込側端部７ａに配線４の挿通開口を残して引込側端部７ａの開口７ｃを塞ぐようになる。なお、端末部材２２の開口にはパテ１８を詰め込んで防水しても良い。
【００３１】
図５〜図７に示すように、電力計ボックス６の上方に位置する保護ダクト７の引出側端部７ｂが位置する外壁面５には、ボックス接続部材２８の接続ベース２３が予めねじ２４で固定されている。
【００３２】
上記ボックス端末部材２８の保護ダクト７側の一端部２８ａは、保護ダクト７の形状とほぼ同じであるが、電力計ボックス２６側の他端部２８ｂは、電力計ボックス６の上周壁６ａの複数の引き込み穴６ｂから電力計ボックス６内に引き込まれる配線４の全てを覆えるように末広がり状の広幅形状に形成されている。
【００３３】
上記接続ベース２３は、上記ベース９の外面に嵌まり合う略Ｕ字状の断面形状に形成されて、底壁部２３ａがねじ用穴２３ｇ〔図６（ａ）参照〕を利用してねじ２４で外壁面５に固定されるとともに、両側壁部２３ｂの上縁部には、雌ねじ用穴２３ｃがそれぞれ形成されている。
【００３４】
上記ベース９は、保護ダクト７の引出側端部７ｂ側の後端部分を接続ベース２３に差し込んだ状態で外壁面５にねじ１１で固定する。
【００３５】
上記接続ベース２３と対となる接続カバー２５は、上記カバー１０の外面に嵌まり合う略Ｕ字状の断面形状に形成されて、カバー１０の引出側端部７ｂ側の後端部分に被せた状態で、上壁部２５ａのねじ用穴２５ｂ利用して、接続ベース２３の雌ねじ用穴２３ｃにねじ２６で固定する。
【００３６】
上記接続ベース２３と接続カバー２５とはボックス接続部材２８を構成して、保護ダクト７の引出側端部７ｂから引き出されて、電力計ボックス６の上周壁６ａの引き込み穴（配線引き込み部）６ｂから電力計ボックス６内に引き込まれる配線４を覆うようになる。なお、電力計ボックス６の引き込み穴６ｂは、全周壁に設けられていて、不使用の引き込み穴６ｂは薄膜でカバーされて、使用する引き込み穴６ｂのみを工具で突き破るようになっている（いわゆるノックアウト）。
【００３７】
上記電力計ボックス６は、ベース３０とカバー３１とから構成されていて、図７（ａ）の取付け状態のカバー３１を点検などで取外す場合には、図７（ｂ）に示すように、カバー３１の下部を前方に引き（矢印ａ参照）、ついで、カバー３１を上方にスライドさせ（矢印ｂ参照）、その後、前方に引くことにより（矢印ｃ参照）、取外すことができる構造になっている。
【００３８】
そこで、上記ボックス接続部材２８の接続ベース２３と接続カバー２５との分割線Ｌ２が、電力計ボックス６のベース３０とカバー３１との分割線Ｌ１よりも外方に位置すると、カバー３１を上方にスライドさせる時には、接続ベース２３と接続カバー２５とが邪魔になるので、接続ベース２３と接続カバー２５との双方を取外す必要がある。
【００３９】
このため、接続ベース２３の電力計ボックス６の近傍の両側壁部２３ｂに凹部２３ｄを形成するとともに、接続カバー２５の両側壁部２５ｃの対応する部位に、凹部２３ｄに嵌り合う凸部２５ｄを形成する。
【００４０】
これにより、電力計ボックス６の近傍においては、電力計ボックス６のベース３０とカバー３１との分割線Ｌ１よりも、接続ベース２３の凹部２３ｄと接続カバー２５の凸部２５ｄとの分割線Ｌ３が外壁面５側に位置するようになるから、接続カバー２５を取外すだけで、カバー３１を上方にスライドさせることができる。
【００４１】
図７（ａ）では、ボックス接続部材２８の分割線Ｌ２，Ｌ３において、電力計ボックス６側の端部の分割線Ｌ３は、電力計ボックス６の分割線Ｌ１よりも外壁面５側に位置するが、保護ダクト７側の端部の分割線Ｌ２は、保護ダクト７の分割線Ｌ５と一直線で連なるようになる。
【００４２】
上記ボックス接続部材２８の接続ベース２３と接続カバー２５との分割線Ｌ４を二点鎖線で示すように斜めにしても差し支えはなく、この場合でも、少なくとも電力計ボックス６の近傍においては、電力計ボックス６のベース３０とカバー３１との分割線Ｌ１よりも、接続ベース２３と接続カバー２５の分割線Ｌ４が外壁面５側に位置するようになる。
【００４３】
また、図７（ｃ）に示すように、図７（ａ）の分割線Ｌ３と同じ高さとなるように、ボックス接続部材２８の接続ベース２３と接続カバー２５との両側壁部２３ｂ，２５ｃの高さを設定することもできる。
【００４４】
上記のような構成であれば、外壁面５に沿って配置されて配線４は、保護ダクト７で覆われるとともに、保護ダクト７から引き出されて電力計ボックス６の上周壁６ａに引き込まれる配線４は、ボックス接続部材２８で覆われるので、配線４が保護されるとともに、美観性が向上する。
【００４５】
また、ボックス接続部材２８の分割線Ｌ２，Ｌ３の内、電力計ボックス６の近傍の分割線Ｌ３は、電力計ボックス６の分割線Ｌ１よりも外壁面５側に位置するから、電力計ボックス６のカバー３１を取外して内部を点検等する時に、ボックス接続部材２８の接続カバー２５を取外すだけで、電力計ボックス６のカバーを上方にスライドさせて前方に取外せるとともに、前方から被せて下方にスライドさせて取付けることができるので、電力計ボックス６のカバー３１の着脱が容易になる。
【００４６】
さらに、保護ダクト７側の一端部側の分割線Ｌ２は、保護ダクト７の分割線Ｌ５と連なるようになるから、美観性が向上する
さらにまた、ボックス接続部材２８の接続ベース２３の両側壁部２３ｂに凹部２３ｄを形成し、接続カバー２５の両側壁部２５ｃに凸部２５ｄを形成して、ボックス接続部材２８の分割線Ｌ３が、電力計ボックス６の近傍においては電力計ボックス６の分割線Ｌ１よりも外壁面５側に位置し、電力計ボックス６の近傍以外においてはボックス接続部材２８の分割線Ｌ２が保護ダクト７の分割線Ｌ５と略一直線状に連なるようになるので、美観性が向上する。
【００４７】
また、ボックス接続部材２８の保護ダクト７側の一端部２８ａは、保護ダクト７に対応した形状に設定し、電力計ボックス６側の他端部２８ｂは、電力計ボックス６の上周壁６ａに形成した複数の引き込み穴６ｂを全て覆う形状に設定したから、電力計ボックス６の上周壁６ａに複数の引き込み穴６ｂが形成されている場合に、配線４を無理なく引き込み穴６ｂに引き込むことができる。
【００４８】
上記実施形態は、配線４を例にとったが、エアコンの空調配管のような長尺物にも好適に採用することができる。
【図面の簡単な説明】
【図１】本発明に係るボックス接続部材を採用した家屋の斜視図である。
【図２】端末部材の接続ベースであり、（ａ）は上下向き配置の斜視図、（ｂ）は横向き配置の斜視図、（ｃ）はベース取付け前の斜視図、（ｄ）はベース取付け後の斜視図である。
【図３】端末部材であり、（ａ）は接続カバー取付け前の斜視図、（ｂ）は接続カバー取付け後の斜視図である。
【図４】（ａ）はサドルと結束バンドの斜視図、（ｂ）は保護ダクトの断面図である。
【図５】電力計ボックスであり、（ａ）は電力計ボックスとボックス接続部材の分解斜視図、（ｂ）は電力計ボックスの斜視図である。
【図６】ボックス接続部材であり、（ａ）は正面図、（ｂ）は平面図、（ｃ）は側面図、（ｄ）は底面図、（ｅ）は背面図、（ｆ）は断面図である。
【図７】電力計ボックスとボックス端末部材と保護ダクトとであり、（ａ）は分割線を示す側面図、（ｂ）は電力計ボックスのカバーの取外し要領の側面図、（ｃ）はボックス端末部材の変形例の側面図である。
【符号の説明】
１      家屋
４      配線
５      外壁面
６      電力計ボックス
６ａ    引き込み穴
７      保護ダクト
９      ベース
１０    カバー
２３    接続ベース
２３ｄ  凹部
２５    接続カバー
２５ｄ  凸部
２８    ボックス接続部材
２８ａ  一端部
２８ｂ  他端部
３０    ベース
３１    カバー
Ｌ１〜Ｌ６    分割線
【図１】
2004343944.tif 000003
【図２】
2004343944.tif 000004
【図３】
2004343944.tif 000005
【図４】
2004343944.tif 000006
【図５】
2004343944.tif 000007
【図６】
2004343944.tif 000008
【図７】
2004343944.tif 000009